(57)【要約】【課題】電池ケースに収納された電池についてその温度の均等化を図ることができる電池温調装置を提供する。【解決手段】電池温調装置１０は、電池ケース１２Ａの上流部２４に送風機構１４から送り出された温調風を流入する第１ダクト３４と、第１ダクト３４から電池ケース１２Ａの上流部２４に流入され、電池２０と熱交換を行った後の温調風を、電池ケース１２Ａの下流部２６から排出する排出ダクト１８と、電池と熱交換を行う前の温調風を電池ケース１２Ａの下流部２６に流入する第２ダクト３６とを備えた。【選択図】図３
2013110021.tif 000002
【特許請求の範囲】
【請求項１】
電池が収納される電池ケースと、前記電池ケースに温調風を送り出す送風機構とを備えた電池温調装置において、
前記電池の第１端部側に位置する前記電池ケースの上流部に前記送風機構から送り出された前記温調風を流入する第１流路と、
前記第１流路から前記電池ケースの上流部に流入され、前記電池ケースに収納された前記電池と熱交換を行った後の前記温調風を、前記電池の第２端部側に位置する前記電池ケースの下流部から排出する排出流路と、
前記電池と熱交換を行う前の前記温調風を前記電池ケースの下流部に流入する第２流路とを備えたことを特徴とする電池温調装置。
【請求項２】
前記第２流路は、前記第１流路よりも温調風の流量が少ないことを特徴とする請求項１に記載の電池温調装置。
【請求項３】
前記送風機構は、前記第１流路と前記第２流路との双方に前記温調風を送り出す単一の送風ファンからなることを特徴とする請求項１又は請求項２に記載の電池温調装置。
【発明の詳細な説明】
【技術分野】
【０００１】
本発明は、電池温調装置に係り、詳しくは電池が収納される電池ケースに温調風を送り出す送風機構を備えた電池温調装置に関するものである。
【背景技術】
【０００２】
特許文献１に開示された電源装置は、蓄電装置と、バッテリと、それら蓄電装置及びバッテリを収納しているケースと、蓄電装置とバッテリとを冷却する冷却装置とを備えている。この電源装置では、冷却ファンから取り込まれた冷風を通流させるための冷却風通路がケース内に設けられ、その冷却風通路に沿って蓄電装置とバッテリとが順番に配置されることで、冷却装置を用いて蓄電装置とバッテリを冷却するようにしている。
【先行技術文献】
【特許文献】
【０００３】
【特許文献１】特開２００７−３１１２９０号公報
【発明の概要】
【発明が解決しようとする課題】
【０００４】
しかしながら、このような電池温調装置において、冷却風通路に沿って冷却風が通流されることとなるが、上流側に配置された装置との熱交換により冷却風が暖められてしまい、下流側に配置された装置が冷却され難くなる。このため、各装置における温度差が大きくなるおそれがあった。
【０００５】
この発明は、このような従来の技術に存在する問題点に着目してなされたものであり、その目的は、電池ケースに収納された電池についてその温度の均等化を図ることができる電池温調装置を提供することにある。
【課題を解決するための手段】
【０００６】
上記目的を達成するため、請求項１に記載の発明は、電池が収納される電池ケースと、前記電池ケースに温調風を送り出す送風機構とを備えた電池温調装置において、前記電池の第１端部側に位置する前記電池ケースの上流部に前記送風機構から送り出された前記温調風を流入する第１流路と、前記第１流路から前記電池ケースの上流部に流入され、前記電池ケースに収納された前記電池と熱交換を行った後の前記温調風を、前記電池の第２端部側に位置する前記電池ケースの下流部から排出する排出流路と、前記電池と熱交換を行う前の前記温調風を前記電池ケースの下流部に流入する第２流路とを備えた。
【０００７】
これによれば、第１流路からの温調風により温調され難い電池ケースの下流部に、電池と熱交換を行う前の温調風が第２流路から流入することによって、電池の第１端部側と同じように電池の第２端部側も温調することができる。したがって、電池ケースに収納された電池についてその温度の均等化を図ることができる。
【０００８】
また、請求項２に記載の発明は、請求項１に記載の発明において、第２流路は、第１流路よりも温調風の流量が少ない。これによれば、第１流路からの温調風を大きく減少させることなく、第２流路から温調風を取り入れることによって、電池の第２端部側を効率的に温調することができる。
【０００９】
また、請求項３に記載の発明は、請求項１又は請求項２に記載の発明において、前記第１流路と前記第２流路との双方に温調風を送り出す単一の送風ファンからなる。これによれば、送風ファンを共通化することで、単一の送風ファンにより第１流路と第２流路との双方に温調風を送り出すことができ、装置の小型化及び省電力化を図ることができる。
【発明の効果】
【００１０】
本発明によれば、電池ケースに収納された電池についてその温度の均等化を図ることができる。
【図面の簡単な説明】
【００１１】
【図１】第１実施形態における電池温調装置の構成図。
【図２】（ａ）及び（ｂ）は、第１実施形態における電池の斜視図。
【図３】第１実施形態における電池温調装置の上面図。
【図４】第２実施形態における電池温調装置の上面図。
【図５】第３実施形態における電池温調装置の上面図。
【図６】別の実施形態における電池温調装置の上面図。
【発明を実施するための形態】
【００１２】
（第１実施形態）
以下、本発明を具体化した第１実施形態を図１〜図３を参照して説明する。
図１に示すように、電池温調装置１０は、複数の電池２０を収納する電池ケース１２と、温調風を送り出す送風機構１４と、送り出された温調風を電池ケース１２に流入する流入路１６と、電池ケース１２からの温調風を排出する排出ダクト１８とを備えている。なお、本実施形態における電池２０は、図２（ａ）及び図２（ｂ）に示すように、角型二次電池が採用されている。また、図１に示すように、本実施形態における電池温調装置１０は、複数の電池ケース１２Ａ，１２Ｂを備えており、複数の電池ケース１２Ａ，１２Ｂのそれぞれに対して、流入路１６、排出ダクト１８が連通されている。特に、流入路１６は、複数の電池ケース１２Ａ，１２Ｂのそれぞれに対して２本の流路を形成している。
【００１３】
次に、本実施形態における電池温調装置１０について図３を参照して詳しく説明する。なお、図３においては、複数の電池ケースを代表して電池ケース１２Ａについて説明する。
【００１４】
図３に示すように、本実施形態における電池ケース１２Ａは、上方から見て矩形状であり、電池ケース１２Ａの長手方向Ｘに沿って複数の電池２０が並設されている。電池ケース１２Ａは、複数の電池２０を収納する収納部２２と、電池２０の第１端部２０Ａ側に位置する上流部２４と、電池２０の第２端部２０Ｂ側に設けられる下流部２６とを有する。この上流部２４には、送風機構１４からの温調風が流入され、下流部２６には、上流部２４からの温調風が収納部２２を介して流入される。
【００１５】
収納部２２には、複数の電池２０が電池ケース１２Ａの長手方向Ｘに沿って並設される。複数の電池２０のうち、電池ケース１２Ａの隔壁２９の内側３０と最も近い位置に配置される電池２０は、電池ケース１２Ａの隔壁２９との間に、上流部２４と下流部２６とを連通する間隙２８が形成されるように配置されている。また、複数の電池２０は、隣り合う電池２０の間に、上流部２４と下流部２６とを連通する間隙２８が形成されるようにスペーサ（図示略）で連結されている。上流部２４は、電池ケース１２Ａの長手方向Ｘに延伸する空間であり、収納部２２及び第１ダクト３４と連通している。下流部２６は、電池ケース１２Ａの長手方向Ｘに延伸する空間であり、収納部２２、第２ダクト３６及び排出ダクト１８と連通している。
【００１６】
送風機構１４は、流入路１６（連結ダクト３２）に温調風を送り出す１つ（単一）の送風ファンから構成されている。また、この送風機構１４は、加熱機能及び冷却機能の両方を有する機構である。
【００１７】
流入路１６は、連結ダクト３２と、第１ダクト３４と、第２ダクト３６とを有する。連結ダクト３２は、複数の電池ケース１２Ａ，１２Ｂのそれぞれに設けられた第１ダクト３４及び第２ダクト３６に連通しており、送風機構１４からの温調風を流入する。
【００１８】
第１ダクト３４は、上流部２４に、電池２０の並設方向から温調風が流入するように電池ケース１２Ａの長手方向Ｘに対する一端部において、上流部２４に連通しており、送風機構１４から送り出された温調風を上流部２４に流入する。つまり、収納部２２を介して第１ダクト３４から下流部２６に流入する温調風は、電池２０と熱交換を行った後の温調風である。
【００１９】
第２ダクト３６は、下流部２６に、電池２０の並設方向から温調風が流入するように電池ケース１２Ａの長手方向Ｘに対する一端部において、下流部２６に連通しており、送風機構１４から送り出された温調風を下流部２６に流入する。つまり、下流部２６に第２ダクト３６から流入する温調風は、電池２０と熱交換を行う前の温調風である。
【００２０】
第１ダクト３４及び第２ダクト３６のそれぞれは、連結ダクト３２から電池ケース１２Ａまでの距離（長さ）が同じである。また、第１ダクト３４及び第２ダクト３６のそれぞれは、温調風の流路に沿って、その流路に直交する断面積が均等であるが、第２ダクト３６は、第１ダクト３４と比較して、その断面積が小さい。このため、第２ダクト３６は、第１ダクト３４よりも温調風の流量が少なく、その温調風の流入速度が速くなる。
【００２１】
なお、本実施形態において、第１ダクト３４が「第１流路」に、排出ダクト１８が「排出流路」に、第２ダクト３６が「第２流路」に、それぞれ相当する。
（第１実施形態の作用）
ここで、上述したように構成された電池温調装置１０の作用について説明する。
【００２２】
最初に、図３に示すように、送風機構１４は、温調風を連結ダクト３２に送り出す。連結ダクト３２に送り出された温調風は、第１ダクト３４を介して電池ケース１２Ａ，１２Ｂのそれぞれにおける上流部２４に流入する。上流部２４に流入した温調風は、電池の並設方向に流れるとともに、収納部２２における間隙２８に流入する。そして、収納部２２に流入した温調風は、電池２０の間隙２８を通過して下流部２６に流入し、排出ダクト１８に排出される。
【００２３】
このように、送風機構１４によって送り出された温調風は、上流部２４を介して、電池２０の間隙２８を通過することで、電池２０を温調する。特に、第１ダクト３４及び上流部２４を介して収納部２２に流入する温調風は、電池２０を温調することにより温調風の温度が変化するので、電池２０の第１端部２０Ａ側よりも電池２０の第２端部２０Ｂ側のほうが温調され難くなる。このため、上流部２４を介する温調風は、電池２０の第１端部２０Ａ側を重点に温調することができる。
【００２４】
その一方で、連結ダクト３２に吹き出された温調風は、第２ダクト３６を介して電池ケース１２Ａ，１２Ｂのそれぞれにおける下流部２６に流入する。この第２ダクト３６からの温調風は、上流部２４及び収納部２２を介さず、電池２０を温調する前に下流部２６に直接流入する。下流部２６に流入した温調風は、電池２０の並設方向に流れ、排出ダクト１８に排出される。
【００２５】
このように、送風機構１４によって送り出された温調風は、第２ダクト３６を介して下流部２６を通過することで、電池２０の第２端部２０Ｂ側を温調する。特に、第２ダクト３６を介して下流部２６に流入する温調風は、収納部２２における電池２０を温調する前に流入するので、送風機構１４から送り出される温調風の温度から大きく変化しない。このため、電池２０の第１端部２０Ａ側に供給される温調風の温度とほぼ同等の温度の温調風を電池２０の第２端部２０Ｂ側に供給することができる。
【００２６】
また、第２ダクト３６を介して下流部２６に流入する温調風は、第１ダクト３４、上流部２４及び収納部２２を介して下流部２６に流入する温調風を排出ダクト１８に導くことにもなる。
【００２７】
従来においては、第２ダクト３６を含まない構成においては、図２（ｂ）に示すように、電池２０に第１ダクトからの温調風Ｙ１だけが流入し、電池２０の第２端部２０Ｂ側が第１端部２０Ａ側よりも温調され難く、温度差が大きくなってしまっていた。
【００２８】
そこで、本実施形態において、第２ダクト３６を含む構成とすることで、図２（ａ）に示すように、第１ダクト３４からの温調風Ｙ１だけではなく、第２ダクト３６からの温調風Ｘ１が流入し、電池２０の第２端部２０Ｂ側を従来よりも温調することができる。
【００２９】
（第１実施形態の効果）
以上詳述したように、本実施形態は、以下の効果を有する。
（１）第１ダクト３４からの温調風により温調され難い電池ケース１２Ａの下流部２６に、第１ダクト３４とは別に第２ダクト３６が連通され、電池２０の温調を行っていない温調風が第２ダクト３６から電池ケース１２Ａの下流部２６に流入する。これによって、電池２０の第１端部２０Ａ側に供給される温調風の温度とほぼ同等の温度の温調風を電池２０の第２端部２０Ｂ側に供給することができる。したがって、電池ケース１２Ａに収納された電池についてその温度の均等化を図ることができる。
【００３０】
（２）第２ダクト３６は、第１ダクト３４よりも温調風の流量が少ない。これによれば、第１ダクト３４からの温調風を大きく減少させることなく、第２ダクト３６から温調風を取り入れることによって、電池２０を効率的に温調することができる。
【００３１】
（３）送風機構１４は、第１ダクト３４と第２ダクト３６との双方に温調風を送り出す単一の送風ファンを有する。これによれば、送風ファンを共通化することで、単一の送風ファンにより第１ダクト３４と第２ダクト３６との双方に温調風を送り出すことができ、装置の小型化及び省電力化を図ることができる。
【００３２】
（４）第１ダクト３４と第２ダクト３６は、第１ダクト３４からの温調風および第２ダクト３６からの温調風が、電池ケース１２Ａに、電池２０の並設方向から流入するように電池ケース１２Ａに連通されている。このため、温調風の流入を互いに干渉し難くすることができる。
【００３３】
（第２実施形態）
次に、第２実施形態を、第１実施形態との相違点を中心に説明する。
第１実施形態では、１つの送風ファンからの温調風を、第１ダクト３４と第２ダクト３６との両方に流入させた。これに対して、本実施形態では、図４に示すように、電池温調装置１００において、第１送風ファン１１４Ａからの温調風を第１ダクト３４に、第２送風ファン１１４Ｂからの温調風を第２ダクト３６にそれぞれ流入させる。
【００３４】
具体的には、送風機構１１４は、２つの送風ファン１１４Ａ，１１４Ｂから構成される。流入路１１６は、第１連結ダクト１３２Ａと、第２連結ダクト１３２Ｂと、第１ダクト３４と、第２ダクト３６とを有する。
【００３５】
第１送風ファン１１４Ａは、第１連結ダクト１３２Ａに連通する。第１連結ダクト１３２Ａは、第１ダクト３４に連通する。第２送風ファン１１４Ｂは、第２連結ダクト１３２Ｂに連通する。第２連結ダクト１３２Ｂは、第２ダクト３６に連通する。なお、本実施形態において、第１連結ダクト１３２Ａは、電池ケース１２Ａ以外の複数の電池ケースのそれぞれに対応する第１ダクトに連通し、第２連結ダクト１３２Ｂは、電池ケース１２Ａ以外の複数の電池ケースのそれぞれに対応する第２ダクトに連通する。
【００３６】
また、第２ダクト３６のほうが第１ダクト３４よりも流量が少ないため、第２連結ダクト１３２Ｂ及び第２ダクト３６に温調風を流入させる第２送風ファン１１４Ｂは、第１連結ダクト１３２Ａ及び第１ダクト３４に温調風を流入させる第１送風ファン１１４Ａよりも流量が少ないファンを用いる。
【００３７】
このように構成することで、第１送風ファン１１４Ａからの温調風は、第１連結ダクト１３２Ａ及び第１ダクト３４を介して上流部２４に流入する。その一方で、第２送風ファン１１４Ｂからの温調風は、第２連結ダクト１３２Ｂ及び第２ダクト３６を介して、下流部２６に流入する。
【００３８】
このため、第１ダクト３４への温調風の流量と、第２ダクト３６への温調風の流量とを調整し易くなり、電池ケース１２Ａに配置された電池２０についてその温度の均等化を図り易くすることができる。
【００３９】
（第３実施形態）
次に、第３実施形態を、第１実施形態及び第２実施形態との相違点を中心に説明する。
第１実施形態及び第２実施形態では、上流部２４に、電池２０の並設方向から温調風が流入するように、上流部２４に第１ダクト３４を連通した。これに対して、本実施形態では、図５に示すように、電池温調装置２００において、上流部２４に、上流部２４から下流部２６に向かう方向から温調風が流入するように、上流部２４に第１ダクト２３４を連通した。
【００４０】
具体的には、送風機構２１４は、第１送風ファン２１４Ａ、左右の第２送風ファン２１４Ｂ，２１４Ｃを含む構成である。流入路２１６は、第１ダクト２３４と、左右の第２ダクト２３６Ａ，２３６Ｂとを含む構成である。
【００４１】
第１送風ファン２１４Ａは、第１ダクト２３４と連通する。第２送風ファン２１４Ｂは、第２ダクト２３６Ａと、第２送風ファン２１４Ｃは、第２ダクト２３６Ｂとそれぞれ連通する。
【００４２】
第１ダクト２３４は、電池ケース１２Ａの長手方向Ｘに対する中央において、上流部２４に、上流部２４から下流部２６に向かう方向から温調風が流入するように、上流部２４に連通する。第２ダクト２３６Ａ，２３６Ｂのそれぞれは、下流部２６に、電池２０の並設方向から温調風が流入するように電池ケース１２Ａの長手方向Ｘに対する両端部において、下流部２６に連通する。排出ダクト２１８は、電池ケース１２Ａの長手方向Ｘに対する中央において、下流部２６内の温調風を上流部２４から下流部２６に向かう方向から排出するように電池ケース１２Ａの下流部２６に連通する。
【００４３】
このように構成することで、第１送風ファン２１４Ａからの温調風は、第１ダクト２３４を介して、電池２０の並設方向から電池ケース１２Ａの上流部２４に流入する。電池ケース１２Ａの長手方向Ｘに対する中央で第１ダクト２３４が上流部２４に連通しているため、第１実施形態及び第２実施形態と比べて、第１ダクト２３４から最も離れた位置に配置される電池と第１ダクト２３４との距離が短くなり、各電池２０に供給される温調風の温度差を小さくすることができる。
【００４４】
その一方で、第２送風ファン２１４Ｂ，２１４Ｃからの温調風は、第２ダクト２３６Ａ，２３６Ｂを介して、電池ケース１２Ａの長手方向Ｘに対する両端部から下流部２６に流入する。電池ケース１２Ａの長手方向Ｘに対する両端部で第２ダクト２３６Ａ，２３６Ｂが下流部２６に連通しているため、第１実施形態及び第２実施形態と比べて、第２ダクト２３６Ａ，２３６Ｂから最も離れた位置に配置される電池と第２ダクト２３６Ａ，２３６Ｂとの距離が短くなり、各電池２０に供給される温調風の温度差を小さくすることができる。更にまた、電池ケース１２Ａの長手方向Ｘに対する中央で排出ダクト２１８が下流部２６に連通しているため、排出ダクト２１８から温調風を排出し易い。
【００４５】
このように、電池ケース１２Ａの長手方向Ｘに対する中央に第１ダクト２３４が設けられることによって、各電池２０に第１ダクト２３４から供給される温調風の温度差を小さくすることができる。
【００４６】
また、電池ケース１２Ａの長手方向Ｘに対する両端部に第２ダクト２３６Ａ，２３６Ｂが設けられることによって、各電池２０に第２ダクト２３６Ａ，２３６Ｂから供給される温調風の温度差も小さくすることができる。
【００４７】
更にまた、電池ケース１２Ａの長手方向Ｘに対する中央に排出ダクト２１８が設けられることによって、第２ダクト２３６Ａ，２３６Ｂからの温調風の流入により、円滑に温調風を排出することができる。
【００４８】
尚、上記実施形態は、次のような別の実施形態（別例）にて具体化できる。
○第１実施形態において、第１ダクト３４と第２ダクト３６の長さを異ならせてもよく、第１ダクト３４と第２ダクト３６の断面積を同じとしてもよい。また、第１ダクト３４の断面積を均一にしなくてもよく、絞りを形成してもよい。同じように、第２ダクト３６の断面積を均一にしなくてもよく、絞りを形成してもよい。また、第１ダクト３４と第２ダクト３６の流量を同じとしてもよい。
【００４９】
○第１実施形態において、一つの電池ケースの上流部２４に対して複数の第１ダクトを連通し、送風機構からの温調風が複数箇所から上流部２４に流入するように構成してもよい。また、一つの電池ケースの下流部２６に対して複数の第２ダクトを連通し、電池と熱交換を行う前の温調風が複数箇所から下流部２６に流入するように構成してもよい。また、一つの電池ケースの下流部２６に対して複数の排出ダクトを連通し、下流部２６内の温調風を外部に排出してもよい。
【００５０】
○第１実施形態において、第１ダクト３４と第２ダクト３６は、第１ダクト３４からの温調風および第２ダクト３６からの温調風が、電池２０の並設方向から電池ケース１２に流入するように電池ケース１２Ａに連通した。しかし、これに限らず、例えば、上流部２４から下流部２６に向かう方向から電池ケース１２に流入するように電池ケース１２Ａに連通してもよい。また、例えば、第１ダクト３４と第２ダクト３６のうち、一方が、電池２０の並設方向から電池ケース１２に温調風が流入するように電池ケース１２Ａに連通され、他方が上流部２４から下流部２６に向かう方向から電池ケース１２に温調風が流入するように電池ケース１２Ａに連通されてもよい。
【００５１】
○第１実施形態において、送風機構１４を１つの送風ファンから構成したが、これに限らず、例えば、複数の電池ケース１２Ａ，１２Ｂに対して単一の送風ファンが配設されていれば、複数の送風ファンが配設されていてもよい。もちろん、１つの電池ケースに対して単一の送風ファンが配設されていてもよい。
【００５２】
○上記実施形態において、連結ダクト３２を備えない構成であってもよく、その場合、電池ケース毎に、送風機構を配設して独立して温調風を流入する構成が好ましい。また、電池ケース１２と送風機構とが直接接続される構成であってもよい。例えば、図６に示すように、電池ケース１２Ａにおける隔壁２９の肉厚分だけ、各ダクトが形成されることとなる。なお、図６においては、第１流路に相当する第１ダクト３３４のみを示したが、第２流路に相当する第２ダクトについても同じように構成してもよい。このように、第１流路と第２流路の両方について、電池ケース１２と送風機構とが直接接続される場合には、送風機構を別々に設けることとなる。また、一方の流路については電池ケース１２と送風機構とが直接接続され、他方の流路については電池ケース１２と送風機構とが直接接続されてなくてもよく、その場合には、一方の流路に連通している送風機構から、他方の流路に温調風を流入させてもよい。
【００５３】
○上記実施形態において、送風機構１４として、加熱機能と冷却機能とを有する送風ファンを採用したが、これに限らず、加熱機能を有するが冷却機能を有さない送風ファンであってもよい。また、送風機構１４として、冷却機能を有するが加熱機能を有さない送風ファンであってもよい。つまり、電池の温度を調整できれば、冷却する調温風（温調媒体）であっても加熱する調温風であってもよい。
【００５４】
○上記実施形態において、電池２０と電池ケース１２Ａの隔壁２９との間に間隙２８を形成されなくてもよい。
○上記実施形態において、電池２０として角型の二次電池を用いたが、これに限らない。
【００５５】
○上記実施形態において、一つの電池ケースのみの構成であってもよい。また、一つの電池ケースに対して一つの電池が収納されていてもよい。
○上記実施形態において、上方から見て矩形状の電池ケース１２Ａとしたが、この形状に限らない。
【００５６】
次に、上記実施形態及び別例から把握できる技術的思想を以下に追記する。
（イ）  前記第２流路は、前記送風機構から送り出された温調風を、前記第１流路を介さずに、前記電池ケースに収納された前記電池と熱交換することなく、前記電池ケースの下流部に流入することを特徴とする請求項１〜請求項４のうち何れか一項に記載の電池温調装置。
【００５７】
（ロ）  前記送風機構は、前記第１流路に連通している第１送風ファンと、前記第２流路に連通している第２送風ファンとを有し、前記第２送風ファンは、前記第１送風ファンよりも温調風の流量が少ないことを特徴とする請求項１〜請求項３のうち何れか一項に記載の電池温調装置。
【符号の説明】
【００５８】
１０，１００，２００…電池温調装置、１２Ａ，１２Ｂ…電池ケース、１４，１１４，２１４…送風機構、２０…電池、２０Ａ…第１端部、２０Ｂ…第２端部、２２…収納部、２４…上流部、２６…下流部、３４，２３４…第１ダクト、３６，２３６Ａ，２３６Ｂ…第２ダクト。
【図１】
2013110021.tif 000003
【図２】
2013110021.tif 000004
【図３】
2013110021.tif 000005
【図４】
2013110021.tif 000006
【図５】
2013110021.tif 000007
【図６】
2013110021.tif 000008